(57)【要約】  本明細書中で開示されるのは、炭化水素溶媒と、芳香族溶媒と、メチル化されたシロキサンと、界面活性物質とを含む組成物である。更に開示されるのは、５００ｒｐｍより大きい速度で溶液を少なくとも２時間混合するステップを含む、洗浄目的で乳濁液を調製する方法であり、溶液は炭化水素溶媒と、芳香族溶媒と、メチル化されたシロキサンと、界面活性物質とを含む。更に本明細書中で開示されるのは、印刷機のローラ、プレート、又はブランケットの洗浄混合物での洗浄方法であり、その方法はローラ又はブランケットを洗浄混合物と接触させるステップを含み、洗浄混合物は炭化水素溶媒と、芳香族溶媒と、メチル化されたシロキサンと、界面活性物質とを含む。【選択図】なし【特許請求の範囲】
【請求項１】
組成物であって、炭化水素溶媒と、芳香族溶媒と、メチル化されたシロキサンと、界面活性物質とを含むことを特徴とする組成物。
【請求項２】
請求項１に記載の組成物において、前記炭化水素溶媒が分岐鎖アルキル鎖、シクロアルキル、二重結合、三重結合、又はその組合せを含むことを特徴とする組成物。
【請求項３】
請求項１に記載の組成物において、前記炭化水素溶媒が天然物であることを特徴とする組成物。
【請求項４】
請求項１に記載の組成物において、前記炭化水素溶媒がＣ５−Ｃ３０炭化水素を含むことを特徴とする組成物。
【請求項５】
請求項１に記載の組成物において、前記炭化水素溶媒が少なくとも２のＣ５−Ｃ３０炭化水素の混合物であることを特徴とする組成物。
【請求項６】
請求項１に記載の組成物において、前記炭化水素溶媒がリモネン、ラコレーン（ｌａｃｏｌｅｎｅ）、及びＳｏｌｖｅｎｔ１４２からなる群から選択されることを特徴とする組成物。
【請求項７】
請求項１に記載の組成物において、前記芳香族溶媒が選択的に置換されたフェニル環を含むことを特徴とする組成物。
【請求項８】
請求項１に記載の組成物において、前記芳香族溶媒が選択的に置換されたハロベンゼンを含むことを特徴とする組成物。
【請求項９】
請求項１に記載の組成物において、前記芳香族溶媒が少なくとも２の化合物の混合物であり、その各々が選択的に置換されたフェニル環を含むことを特徴とする組成物。
【請求項１０】
請求項１に記載の組成物において、前記芳香族溶媒が１−クロロ−４−（トリフルオロメチル）ベンゼンであることを特徴とする組成物。
【請求項１１】
請求項１に記載の組成物において、前記メチル化されたシロキサンが環式、分岐鎖型又は直鎖型のメチル化されたシロキサンであることを特徴とする組成物。
【請求項１２】
請求項１に記載の組成物において、前記メチル化されたシロキサンが少なくとも２のメチル化されたシロキサンの混合物であることを特徴とする組成物。
【請求項１３】
請求項１に記載の組成物において、前記メチル化されたシロキサンが４ないし２０のメチル基を含むことを特徴とする組成物。
【請求項１４】
請求項１に記載の組成物において、前記メチル化されたシロキサンがオクタメチルシクロテトラシロキサン、デカメチルシクロペンタシロキサン、ドデカメチルシクロヘキサシロキサン、及びその組合せからなる群から選択されることを特徴とする組成物。
【請求項１５】
請求項１に記載の組成物において、前記界面活性物質が脂肪酸の塩又はエステルを含むことを特徴とする組成物。
【請求項１６】
請求項１５に記載の組成物において、前記脂肪酸がカプロン酸、カプリル酸、カプリン酸、ラウリン酸、ミリスチン酸、パルミチン酸、ステアリン酸、アラキジン酸、ベヘン酸、ミリストレイン酸、パルミトレイン酸、オレイン酸、リノール酸、α−リノレン酸、アラキドン酸、エイコサペンタエン酸、エルカ酸、及びドコサヘキサエン酸からなる群から選択されることを特徴とする組成物。
【請求項１７】
請求項１５に記載の組成物において、前記脂肪酸がオレイン酸であることを特徴とする組成物。
【請求項１８】
請求項１に記載の組成物において、前記界面活性物質がアルキル芳香族スルホン酸の塩であることを特徴とする組成物。
【請求項１９】
請求項１に記載の組成物において、前記アルキル芳香族スルホン酸の塩が直鎖型ドデシルベンゼンスルホン酸イソプロピルアミン（ＣＡＬＩＭＵＬＳＥ  ＰＲＳ）であることを特徴とする組成物。
【請求項２０】
請求項１に記載の組成物において、前記界面活性物質が少なくとも２の界面活性物質の混合物であることを特徴とする組成物。
【請求項２１】
請求項１に記載の組成物において、前記界面活性物質がソルビタンモノオレアート、オレイン酸メチル、及び直鎖型ドデシルベンゼンスルホン酸イソプロピルアミンからなる群から選択されることを特徴とする組成物。
【請求項２２】
請求項１に記載の組成物が、水を更に含むことを特徴とする組成物。
【請求項２３】
請求項１に記載の組成物において、前記組成物が乳化されることを特徴とする組成物。
【請求項２４】
洗浄目的で乳濁液を調製する方法であって、５００ｒｐｍより大きい速度で溶液を少なくとも２時間混合するステップを含み、前記溶液が炭化水素溶媒と、芳香族溶媒と、メチル化されたシロキサンと、界面活性物質とを含むことを特徴とする方法。
【請求項２５】
印刷機のローラ、プレート、又はブランケットの洗浄混合物での洗浄方法において、当該方法が前記ローラ又はブランケットを洗浄混合物と接触させるステップを含み、前記洗浄混合物が炭化水素溶媒と、芳香族溶媒と、メチル化されたシロキサンと、界面活性物質とを含むことを特徴とする方法。
【請求項２６】
請求項２５に記載の方法において、前記洗浄混合物が溶液であることを特徴とする方法。
【請求項２７】
請求項２５に記載の方法において、前記洗浄混合物が乳濁液であることを特徴とする方法。
【請求項２８】
組成物であって、ｄ−リモネンと、パラクロロベンゾトリフルオリドと、Ｓｏｌｖｅｎｔ１４２と、Ｄｏｗ  Ｃｏｒｎｉｎｇ３４５液又はＤｏｗ  Ｃｏｒｎｉｎｇ２４４液と、直鎖型ドデシルベンゼンスルホン酸イソプロピルアミンと、ソルビタンモノオレアートと、オレイン酸メチルとを含むことを特徴とする組成物。
【請求項２９】
請求項２８に記載の組成物において、前記パラクロロベンゾトリフルオリドが容量で１５ないし４５％の間の範囲にあることを特徴とする組成物。
【請求項３０】
請求項２８に記載の組成物において、前記Ｄｏｗ  Ｃｏｒｎｉｎｇ液が容量で１５ないし５５％の間の範囲にあることを特徴とする組成物。
【発明の詳細な説明】
【技術分野】
【０００１】
［関連出願］
本出願は２００７年５月１１日にＲａｙｍｏｎｄ  Ｄａｂｅｌａらによって出願された、「ＰＲＩＮＴＩＮＧ  ＰＲＥＳＳ  ＣＬＥＡＮＩＮＧ  ＣＯＭＰＯＳＩＴＩＯＮＳ」という名称の米国特許出願第１１／７４７，８１２号、及び２００７年８月３１日にＲａｙｍｏｎｄ  Ｄａｂｅｌａらによって出願された、「ＰＲＩＮＴＩＮＧ  ＰＲＥＳＳ  ＣＬＥＡＮＩＮＧ  ＣＯＭＰＯＳＩＴＩＯＮＳ」という名称の米国仮特許出願第６０／９６９，５７８号に対する優先権を主張し、その双方の全体的な開示が本明細書中に引用として取り込まれている。
【０００２】
本発明は洗浄溶液及び混合物の分野であり、特に印刷産業で用いられる洗浄溶液及び混合物の分野である。
【背景技術】
【０００３】
オフセット印刷はインク画像がプレートからラバーブランケットへ、ひいては紙などの印刷面へ転写（又は「オフセット（ｏｆｆｓｅｔ）」）される場合に広く用いられる印刷技術である。油と水との反発作用に基づいた、平版印刷プロセスとの組合せで用いる場合、オフセット技術は平板（平版印刷）の画像担体を用い、その上で印刷されるべき画像はインクローラからインクを得るが、非印刷領域は水の膜を引きつけ、非印刷領域がインクのない状態に保っている。
【０００４】
印刷機の動作中に、インクはたびたび非印刷領域を汚し、しみ又は汚れを印刷された面に出現させ、あるいは一般的には印刷機の動作と干渉する。更に印刷面として用いられる紙からのパルプ及びダストは、紙が印刷機を通って移動する際に紙から生じる。このダストはローラと、プレートと、ブランケットとを含む様々な印刷機の部分に着定し、これらの部分を汚し、印刷機構と干渉する。いくつかのアプリケーションにおいては、印刷機に供給される前に、多様な紙がコーンスターチのようなそれらを分離する噴霧粉末の層とともに互いの上部に積み重ねられる。噴霧粉末は紙が互いに固着せず、印刷機に別個の供給されるのを保証する。時間が経つと、噴霧粉末はローラ、プレート、及びブランケット上に蓄積し、印刷機構と干渉する。
【０００５】
従って、洗浄溶液をローラ、プレート、及びブランケットに塗布することによって印刷機は定期的に洗浄され、これらの部分からインク及び汚れを除去する。従来、洗浄溶液は揮発性有機化合物（ＶＯＣ）を含んでいた。ＶＯＣは環境に優しくないことは既知である。それらは発癌物質の可能性があり、オゾン層の枯渇に寄与し、地球温暖化の原因である温室効果に寄与しうる。結果として、政府は印刷産業を含む、様々な産業でＶＯＣの使用に制限を定めた。
【０００６】
政府の規制に従うために、低ＶＯＣ量を有する様々な洗浄溶液が販売されてきた。これらの洗浄溶液はほとんどの部分については、油ベースである。油は比較的低い蒸気圧を有し、一般的には揮発性であると見なされない。しかしながら、油は印刷機洗浄剤としての使用に十分なものではない。洗浄溶液中の油は飛散する傾向を有する。油が一度用いられた場合、印刷機の底部で蓄積し、ひいては様々な部分に飛散し、更なる汚れが生じる。更に、油は除去及び処分するのが困難である。
【０００７】
従って、政府の規制に準拠し、かつ、用いるのに経済的で、かつ効率的及び有効に印刷機を洗浄する低ＶＯＣ溶媒に対する産業界におけるニーズが存在する。
【発明の概要】
【０００８】
本明細書中で開示されるのは、炭化水素溶媒と、芳香族溶媒と、メチル化されたシロキサンと、界面活性物質とを含む組成物である。更に開示されるのは、５００ｒｐｍより大きい速度で溶液を少なくとも２時間混合するステップを含む、洗浄目的で乳濁液を調製する方法であり、溶液は炭化水素溶媒と、芳香族溶媒と、メチル化されたシロキサンと、界面活性物質とを含む。更に本明細書中で開示されるのは、印刷機のローラ、プレート、又はブランケットの洗浄混合物での洗浄方法であり、その方法はローラ又はブランケットを洗浄混合物と接触させるステップを含み、洗浄混合物は炭化水素溶媒と、芳香族溶媒と、メチル化されたシロキサンと、界面活性物質とを含む。
【発明を実施するための形態】
【０００９】
従って、一態様においては、本明細書中で開示されるのは、炭化水素溶媒と、芳香族溶媒と、メチル化されたシロキサンと、界面活性物質とを含む組成物である。
【００１０】
いくつかの様態においては、炭化水素溶媒は直鎖又は分岐鎖アルキル鎖、シクロアルキル、二重結合、三重結合、又はその組合せを含む。他の様態においては、炭化水素溶媒は天然物である。特定の様態においては、炭化水素溶媒はＣ５−Ｃ３０炭化水素を含む。本明細書中で用いられるように、“Ｃｍ−Ｃｎ”は、“ｍ”及び“ｎ”が整数であり、アルキル、アルケニル、アルキニル、ならびにシクロアルキル及びシクロアルケニル基の環における炭素原子の数である。すなわち、アルキル、アルケニル、又はアルキニルは“ｍ”ないし“ｎ”の炭素原子を包括的に含みうる。
【００１１】
いくつかの様態においては、炭化水素溶媒は少なくとも２のＣ５−Ｃ３０炭化水素の混合物である。従って、本明細書中で用いられるように、「炭化水素溶媒（ｈｙｄｒｏｃａｒｂｏｎ  ｓｏｌｖｅｎｔ）」という用語は、単一の化学種を含む溶媒のことのみではなく、２又はそれ以上の化学種の混合物を含む溶媒のことであり、各化学種は炭化水素である。
【００１２】
いくつかの様態においては、炭化水素溶媒はリモネン、ラコレーン（ｌａｃｏｌｅｎｅ）、及びＳｏｌｖｅｎｔ１４２からなる群から選択される。Ｓｏｌｖｅｎｔ１４２は産業用洗浄溶媒として用いられる低臭性の石油留出物のブレンドであり、低引火点の混合物が許容できない場合の使用に好適である。
【００１３】
いくつかの様態においては、炭化水素溶媒は鎖内部にヘテロ原子（すなわち、少なくとも１のヘテロ原子）を含む。これらの様態においては、炭化水素溶媒はエーテル、チオエーテル、第二アミン、及び第三アミンからなる群から選択される。
【００１４】
いくつかの好ましい様態においては、炭化水素溶媒はエーテルである。これらの様態のいくつかにおいては、炭化水素溶媒は炭素鎖の主鎖を含み、それは１又はそれ以上のアルコキシ置換基で置換される。他の様態においては、炭素鎖の主鎖は１又はそれ以上のヒドロキシ置換基と更に置換される。これらの様態においては、炭化水素溶媒はアルコールである。他の様態においては、炭素鎖の主鎖は１又はそれ以上のアルコキシ置換基と、１又はそれ以上のヒドロキシ置換基との双方で置換される。
【００１５】
エーテルの例は限定しないが、グリコールエーテルの族である。グリコールエーテルはエチレングリコールのアルキルエーテルに基づいた溶媒の群である。これらの溶媒は一般的には、低分子量のエーテル及びアルコールの好ましい溶媒特性と共に、高い沸点を有する。元のグリコールエーテルはエチルセロソルブである。グリコールエーテルは更にジエチレングリコール（カルビトール）から誘導してもよい。
【００１６】
グリコールエーテル溶媒は限定しないが、エチレングリコールモノメチルエーテル（２−メトキシエタノール、ＣＨ３ＯＣＨ２ＣＨ２ＯＨ）、エチレングリコールモノエチルエーテル（２−エトキシエタノール、ＣＨ３ＣＨ２ＯＣＨ２ＣＨ２ＯＨ）、エチレングリコールモノプロピルエーテル（２−プロポキシエタノール、ＣＨ３ＣＨ２ＣＨ２ＯＣＨ２ＣＨ２ＯＨ）、エチレングリコールモノイソプロピルエーテル（２−イソプロポキシエタノール、（ＣＨ３）２ＣＨＯＣＨ２ＣＨ２ＯＨ）、エチレングリコールモノブチルエーテル（２−ブトキシエタノール、ＣＨ３ＣＨ２ＣＨ２ＣＨ２ＯＣＨ２ＣＨ２ＯＨ）（グリコールエーテルＥＢとも称される）、エチレングリコールモノフェニルエーテル（２−フェノキシエタノール、Ｃ６Ｈ５ＯＣＨ２ＣＨ２ＯＨ）、エチレングリコールモノベンジルエーテル（２−ベンジルオキシエタノール、Ｃ６Ｈ５ＣＨ２ＯＣＨ２ＣＨ２ＯＨ）、ジエチレングリコールモノメチルエーテル（２−（２−メトキシエトキシ）エタノール、メチルカルビトール、ＣＨ３ＯＣＨ２ＣＨ２ＯＣＨ２ＣＨ２ＯＨ）、ジエチレングリコールモノエチルエーテル（２−（２−エトキシエトキシ）エタノール、カルビトールセロソルブ、ＣＨ３ＣＨ２ＯＣＨ２ＣＨ２ＯＣＨ２ＣＨ２ＯＨ）、ジエチレングリコールモノ−ｎ−ブチルエーテル（２−（２−ブトキシエトキシ）エタノール、ＣＨ３ＣＨ２ＣＨ２ＣＨ２ＯＣＨ２ＣＨ２ＯＣＨ２ＣＨ２ＯＨ）、エチレングリコールジメチルエーテル（ジメトキシエタン、ＣＨ３ＯＣＨ２ＣＨ２ＯＣＨ３）、エチレングリコールジエチルエーテル（ジエトキシエタン、ＣＨ３ＣＨ２ＯＣＨ２ＣＨ２ＯＣＨ２ＣＨ３）、エチレングリコールジブチルエーテル（ジブトキシエタン、ＣＨ３ＣＨ２ＣＨ２ＣＨ２ＯＣＨ２ＣＨ２ＯＣＨ２ＣＨ２ＣＨ２ＣＨ３）、エチレングリコールメチルエーテルアセタート（２−メトキシエチルアセタート、ＣＨ３ＯＣＨ２ＣＨ２ＯＣＯＣＨ３）、エチレングリコールモノエチルエーテルアセタート（２−エトキシエチルアセタート、ＣＨ３ＣＨ２ＯＣＨ２ＣＨ２ＯＣＯＣＨ３）、エチレングリコールモノブチルエーテルアセタート（２−ブトキシエチルアセタート、ＣＨ３ＣＨ２ＣＨ２ＣＨ２ＯＣＨ２ＣＨ２ＯＣＯＣＨ３）を含む。いくつかの様態においては、芳香族溶媒は選択的に置換されたフェニル環を含む。別段に示さない限りにおいて、化合物又はその一部分が「選択的に置換された（ｏｐｔｉｏｎａｌｌｙ  ｓｕｂｓｔｉｔｕｔｅｄ）」と見なされる場合、置換された化合物又はその一部分は、アルキル、アルケニル、アルキニル、シクロアルキル、アリール、ヘテロアリール、ヘテロ脂環、ヒドロキシル、アルコキシ、アリールオキシ、メルカプト、アルキルチオ、アリールチオ、シアノ、ハロ、カルボニル、チオカルボニル、Ｏ−カルバミル、Ｎ−カルバミル、Ｏ−チオカルバミル、Ｎ−チオカルバミル、Ｃ−アミド、Ｎ−アミド、Ｓ−スルホンアミド、Ｎ−スルホンアミド、Ｃ−カルボキシ、Ｏ−カルボキシ、イソシアナート、チオシアナート、イソチオシアナート、ニトロ、シリル、トリハロメタンスルホニル、ならびに一及び二置換されたアミノ基と、その保護誘導体とを含むアミノから個別及び別個に選択された１又はそれ以���の基と置換可能な基であることを意味する。上の置換基の保護誘導体を形成できる保護基は当該技術分野の当業者に既知であり、“Ｇｒｅｅｎｅ  ａｎｄ  Ｗｕｔｓ，Ｐｒｏｔｅｃｔｉｖｅ  Ｇｒｏｕｐｓ  ｉｎ  Ｏｒｇａｎｉｃ  Ｓｙｎｔｈｅｓｉｓ，３ｒｄ  Ｅｄ．，Ｊｏｈｎ  Ｗｉｌｅｙ  ＆  Ｓｏｎｓ，Ｎｅｗ  Ｙｏｒｋ，ＮＹ，１９９９”のような文献に見出すことができ、全体を本明細書中に組み込む。
【００１７】
いくつかの様態においては、芳香族溶媒は少なくとも２の化合物の混合物であり、その各々は選択的に置換されたフェニル環を含む。従って本明細書中で用いられるように、「芳香族溶媒（ａｒｏｍａｔｉｃ  ｓｏｌｖｅｎｔ）」という用語は、単一の化学種を含む溶媒のことのみではなく、２又はそれ以上の化学種の混合物を含む溶媒のことであり、各化学種は芳香族化合物である。
【００１８】
いくつかの様態においては、芳香族溶媒は選択的に置換されたハロベンゼンを含む。「ハロベンゼン（ｈａｌｏｂｅｎｚｅｎｅ）」はベンゼン、又はフルオロ、クロロ、ブロモ、又はヨードのような１又はそれ以上のハロゲンで置換されるフェニル基である。特定の様態においては、芳香族溶媒は選択的に置換されたペルハロアルキルベンゼンを含む。「ペルハロアルキルベンゼン（ｐｅｒｈａｌｏａｌｋｙｌｂｅｎｚｅｎｅ）」はベンゼン、又は１又はそれ以上のアルキル基で置換されるフェニル基であり、その水素原子の総てがハロゲンによって置換されている。ペルハロアルキル基の例は限定しないが、トリフルオロメチル、トリクロロメチル、トリブロモメチル、ペンタフルオロエチル、ペンタクロロエチル等を含む。いくつかの様態においては、芳香族溶媒は１−クロロ−４−（トリフルオロメチル）ベンゼンであり、パラクロロベンゾトリフルオリド（ＰＣＢＴＦ）又は「Ｏｘｏｌ１００（登録商標）」としても知られる。いくつかの様態においては、ハロベンゼンは容量で１５ないし４５％の間の範囲にある。他の様態においては、ハロベンゼンは容量で２０ないし４０％の間の範囲にある。更に他の様態においては、ハロベンゼンは容量で２０ないし３０％の間の範囲にある。
【００１９】
いくつかの様態においては、メチル化されたシロキサンは環状、分岐鎖型、又は直鎖型のメチル化されたシロキサンである。シロキサンはいくつかの末端の−ＯＨ基を含む。「メチル化されたシロキサン（ｍｅｔｈｙｌａｔｅｄ  ｓｉｌｏｘａｎｅ）」においては、−ＯＨ基のうちの少なくとも１の水素原子はメチル基で置換される。いくつかの様態においては、メチル化されたシロキサンは４ないし２０のメチル基を含む。
【００２０】
いくつかの様態においては、メチル化されたシロキサンは少なくとも２のメチル化されたシロキサンの混合物である。従って本明細書中で用いられるように、「メチル化されたシロキサン（ｍｅｔｈｙｌａｔｅｄ  ｓｉｌｏｘａｎｅ）」という用語は単一の化学種を含む溶媒のことのみではなく、２又はそれ以上の化学種の混合物を含む溶媒のことであり、各化学種はメチル化されたシロキサンである。
【００２１】
いくつかの様態においては、メチル化されたシロキサンはシクロメチコン又はＤ４としても知られるオクタメチルシクロテトラシロキサン、デカメチルシクロペンタシロキサン（ＳＦ１２０２又はＤ５）、ドデカメチルシクロヘキサシロキサン（Ｄ６としても知られる）からなる群から選択される。
【００２２】
環状、分岐鎖型又は直鎖型の完全にメチル化されたシロキサン（ＶＭＳ）は南海岸大気保全管理区（Ｓｏｕｔｈ  Ｃｏａｓｔ  Ａｉｒ  Ｑｕａｌｉｔｙ  Ｍａｎａｇｅｍｅｎｔ  Ｄｉｓｔｒｉｃｔ：ＳＣＡＱＭＤ）規則１０２下の除外化合物としてグループＩＩ内に列挙される。ＳＣＡＱＭＤ規則１１７１はグループＩＩの化合物の使用を禁止するが、ＶＭＳの使用を特別に許容する。いくつかの好ましい様態においては、本明細書中で開示される組成物において用いられる、メチル化されたシロキサンは、環状で揮発性の完全にメチル化されたシロキサンのみである。
【００２３】
Ｄｏｗ  Ｃｏｒｎｉｎｇ２４４液は６０パーセントより大きなオクタメチルシクロテトラシロキサン（Ｄ４）からなる。Ｄｏｗ  Ｃｏｒｎｉｎｇ３４５液は３０ないし４０パーセントのドデカメチルシクロヘキサシロキサン（Ｄ６）の混合物であり、残りがデカメチルシクロペンタシロキサンである。Ｄｏｗ  Ｃｏｒｎｉｎｇ  ＯＳ−１０は６０パーセントより大きなヘキサメチルジシロキサン（ＨＭＤＳ）からなり、直鎖型で揮発性の完全にメチル化されたシロキサンである。いくつかの様態においては、Ｄｏｗ  Ｃｏｒｎｉｎｇ液は容量で１５ないし５５％の間の範囲にある。他の様態においては、Ｄｏｗ  Ｃｏｒｎｉｎｇ液は容量で２５ないし５０％の間の範囲にある。更に他の様態においては、Ｄｏｗ  Ｃｏｒｎｉｎｇ液は容量で２５ないし３５％の間の範囲にある。
【００２４】
いくつかの様態においては、界面活性物質は乳化剤として更に作用しうる。一般的に、界面活性物質は長鎖型炭化水素であり、１又はそれ以上の不飽和箇所、すなわち二重（シス型及びトランス型の双方）又は三重結合を含んでもよい。いくつかの様態においては、界面活性物質は脂肪酸又はその塩又はエステルを含む。
【００２５】
脂肪酸は長鎖型炭化水素であり、一般的には一方の末端にカルボキシル基を含み、通常は加水分解した脂肪又は油から取得される。いくつかの合成する長鎖型炭化水素は、例え天然発生する脂肪又は油から取得されなくとも脂肪酸と呼ばれうる。本開示のコンテキストにおいては、「脂肪酸（ｆａｔｔｙ  ａｃｉｄ）」という用語は、たとえその鎖がカルボキシル基を含んでいなくとも任意の長鎖型炭化水素を含む。「長鎖（ｌｏｎｇ  ｃｈａｉｎ）」によって、炭化水素鎖が５ないし５０の炭素原子（例えば、Ｃ５−Ｃ５０の鎖）を含むことを意味する。いくつかの様態においては、脂肪酸はカプロン酸、カプリル酸、カプリン酸、ラウリン酸、ミリスチン酸、パルミチン酸、ステアリン酸、アラキジン酸、ベヘン酸、ミリストレイン酸、パルミトレイン酸、オレイン酸、リノール酸、α−リノレン酸、アラキドン酸、エイコサペンタエン酸、エルカ酸、及びドコサヘキサエン酸からなる群から選択される。いくつかの様態においては、脂肪酸はオレイン酸である。
【００２６】
いくつかの様態においては、界面活性物質はオレイン酸の塩又はエステルであり、例えばソルビタンモノオレアート又はオレイン酸メチルから自由に選択してもよい。
【００２７】
他の様態においては、界面活性物質はリノレン酸の塩又はエステル、例えば、リノレン酸のメチルエステルである。
【００２８】
いくつかの様態においては、界面活性物質は脂肪酸エステルの混合物である。このような混合物の例はＮＯＲＦＯＸ（登録商標）  ＭＳＹ（メチルソイエート）（カリフォルニア州ヴァーノンのＮｏｒｍａｎ，Ｆｏｘ＆Ｃｏ社）であり、大部分は（５１．５％）リノレン酸のメチルエステルである。
【００２９】
いくつかの様態においては、界面活性物質はアルキル芳香族スルホン酸の塩である。この特定の界面活性物質は陰イオン乳化剤としてアルキル芳香族スルホン酸のアミン、アルカリ金属、又はアンモニウム塩にしてもよい。アルキル芳香族の疎水性物質は油性の混合物中に良く溶解する。この界面活性物質の乳化剤は、従来の陰イオン界面活性物質と比較してわずかな気泡しか生成しない。界面活性物質はアルキルベンゼン又はアルキルナフタレンスルホン酸のアミン、アルカリ金属、又はアンモニウム塩にしてもよい。実施例は限定しないが、直鎖型ドデシルベンゼンスルホン酸のイソプロピルアミン塩、分岐鎖型ドデシルベンゼンスルホン酸のイソプロピルアミン塩、及び直鎖型又は分岐鎖型ドデシルベンゼンスルホン酸のジエタノールアミン塩等、ならびにその混合物を含む。いくつかの様態においては、アルキル芳香族スルホン酸は直鎖型ドデシルベンゼンスルホン酸イソプロピルアミン（ＣＡＬＩＭＵＬＳＥ  ＰＲＳ）である。他の様態においては、アルキル芳香族スルホン酸はドデシルベンゼンスルホン酸のナトリウム塩（ＮＯＲＦＯＸ（登録商標）４０）である。
【００３０】
いくつかの様態においては、界面活性物質は少なくとも２の界面活性物質の混合物である。従って本明細書中で用いられるように、「界面活性物質（ｓｕｒｆａｃｔａｎｔ）」という用語は単一の化学種を含む溶媒のことのみではなく、２又はそれ以上の化学種の混合物を含む溶媒のことであり、各化学種は界面活性物質として作用する。
【００３１】
いくつかの様態においては、本明細書中に記載の組成物は容量で５０％未満の炭化水素溶媒と、容量で７５％未満の芳香族溶媒と、容量で７５％未満のメチル化されたシロキサンと、容量で７５％未満の界面活性物質とを含む。他の様態においては、本明細書中に記載の組成物は容量で４０％未満の炭化水素溶媒と、容量で５０％未満の芳香族溶媒と、容量で５０％未満のメチル化されたシロキサンと、容量で５０％未満の界面活性物質とを含む。更に他の様態においては、本明細書中に記載の組成物は容量で３５％未満の炭化水素溶媒と、容量で３０％未満の芳香族溶媒と、容量で４０％未満のメチル化されたシロキサンと、容量で２０％未満の界面活性物質とを含む。
【００３２】
いくつかの様態においては、本明細書中に記載の組成物は水を更に含む。いくつかの様態においては水は脱イオン水である。他の様態においては水は蒸留水である。
【００３３】
本明細書中で開示される組成物は低ＶＯＣ成分を含む利点を有し、すなわち、組成物のＶＯＣ含量は２００ｇ／Ｌ未満であり、いくつかの様態においては１５０ｇ／Ｌ未満であり、他の様態においては１００ｇ／Ｌであり、特定の様態においては１００ｇ／Ｌ未満である。
【００３４】
いくつかの様態においては、本明細書中で開示される組成物は水か添加される前に２００ｇ／Ｌ未満のＶＯＣを含む。蒸留水が添加された後は組成物のＶＯＣ含量は１００ｇ／Ｌ未満である。
【００３５】
いくつかの様態においては、本明細書中で開示される組成物は少なくとも１の塩基性成分を含む。塩基性成分の含有は印刷機の金属成分を洗浄するのに有用である。いくつかの様態においては、塩基性成分はソーダ灰、すなわち炭酸ナトリウムである。他の様態においては、塩基性成分はトリポリリン酸ナトリウムである。特定の様態においては、塩基性成分はメタケイ酸ナトリウムを含む。他の様態においては、塩基性成分は２以上の塩基性成分を含む。
【００３６】
別の様態においては、本明細書中で開示されるのは芳香族溶媒と、メチル化されたシロキサンと、界面活性物質とを含む組成物であり、これらの用語は本明細書中に記載されるものである。
【００３７】
別の様態においては、本明細書中で開示されるのは炭化水素溶媒と、メチル化されたシロキサンと、界面活性物質とを含む組成物であり、これらの用語は本明細書中に記載されるものである。
【００３８】
別の様態においては、本明細書中で開示されるのは炭化水素溶媒と、芳香族溶媒と、界面活性物質とを含む組成物であり、これらの用語は本明細書中に記載されるものである。
【００３９】
別の様態においては、本明細書中で開示されるのは炭化水素溶媒と、芳香族溶媒と、メチル化されたシロキサンとを含む組成物であり、これらの用語は本明細書中に記載されるものである。
【００４０】
いくつかの様態においては、本明細書中に記載の組成物は溶液の形態である一方、他の様態においては組成物は乳濁液である。
【００４１】
従って別の様態においては、本明細書中に記載されるのは５００ｒｐｍより大きい速度で溶液を少なくとも２時間混合するステップを含む洗浄目的で乳濁液を調製する方法であり、溶液は炭化水素溶媒と、芳香族溶媒と、メチル化されたシロキサンと、界面活性物質とを含み、これらの用語は本明細書中に記載されるものである。いくつかの様態においては、溶液は約４時間混合される。他の様態においては、溶液は約８時間混合される。更に他の様態においては、溶液は約１２時間混合される。更なる様態においては、溶液は約２４時間混合される。他の様態においては、溶液は２４時間より長く混合される。
【００４２】
いくつかの様態においては、溶液は約６００ｒｐｍの速度で混合される。他の様態においては、溶液は４０００ｒｐｍ未満の速度で混合される。特定の様態においては、溶液は約６００ないし３６００ｒｐｍの間の速度で混合される。
【００４３】
本明細書中に記載の組成物はローラ、プレート、又はブランケットのような特定の印刷機の部分を洗浄するために最良に用いられる。従って別の様態においては、本明細書中に記載されるのは印刷機のローラ、プレート、又はブランケットの洗浄混合物での洗浄方法であり、その方法はローラ又はブランケットを洗浄混合物と接触させるステップを含み、洗浄混合物が炭化水素溶媒と、芳香族溶媒と、メチル化されたシロキサンと、界面活性物質とを含みこれらの用語は本明細書中に記載されるものである。いくつかの様態においては、洗浄混合物は溶液である一方、他の様態においては、洗浄混合物は乳濁液である。
【００４４】
本明細書中で開示される組成物は広範囲のアプリケーションで有効な低ＶＯＣ（揮発性有機化合物）洗浄混合物を提供する。これらの組成物は例えば、枚葉給紙式、自動式、ウェブ式、又はヒートセット式印刷機で用いてもよい。いくつかの様態においては、組成物は自動洗浄システムで用いられるが、他の様態においては、組成物を手動で用いて印刷機を洗浄する。
【００４５】
ローラ、プレート、又はブランケットの一部が洗浄される必要があると印刷機の操作者が決める場合、操作者はローラへのインク及び水流を停止し、その後、ローラ上に溶液又は乳濁液のいずれかの洗浄混合物を注入できる。洗浄溶液は印刷機を通過し、インク又は水と同様に下方に流れ、接触する表面領域を洗浄する。いくつかの様態においては、洗浄サイクルが短期間であるため、洗浄サイクル中に印刷機を通る紙の流れを停止する必要はない。他の様態においては、操作者がまず印刷機を通る紙の流れを停止し、その後ローラ及びプレートがまだ回転している時に洗浄混合物を塗布する。
【００４６】
［実施例］
以下の実施例は限定ではなく、本明細書中で開示される様態のいくつかを例示するためにのみ呈示される。
【実施例１】
【００４７】
［実施例１：ブランケット及びローラの洗浄混合物］
以下の混合物は広範囲のアプリケーションに有効な低ＶＯＣ（揮発性有機化合物）のローラ及びブランケットの洗浄混合物を提供する。以下の混合物は例えば枚葉給紙式、自動式、ウェブ式、又はヒートセット式印刷機で用いてもよい。以下において、総ての容積分率は室温で決定された。
【００４８】
【表１】
2010526918.tif 000002
【００４９】
「Ｏｘｏｌ１００（登録商標）」はパラクロロベンゾトリフルオリド（ＰＣＢＴＦ）についてのＯｃｃｉｄｅｎｔａｌ  Ｃｈｅｍｉｃａｌ社の商標名である。ＰＣＢＴＦのＩＵＰＡＣ名は１−クロロ−４−（トリフルオロメチル）ベンゼンである。ＰＣＢＴＦの２３％の濃度（０．２３の容積分率）は、高割合でのＰＣＢＴＦが印刷のブランケット及びローラで用いられるゴムを損傷する場合の機能性に対する安全性の上限に近い。更にはＰＣＢＴＦは多くの人々が不快な臭気と見なすものを有する。
【００５０】
“ＭＯＬ”はオレイン酸メチルを表す。“ＳＭＯ”はソルビタンモノオレアートを表す。“ＰＲＳ”は直鎖型ドデシルベンゼンスルホン酸イソプロピルアミン（ＣＡＬＩＭＵＬＳＥ  ＰＲＳ）を表し、カリフォルニア州サンタフェスプリングスのＰｉｌｏｔ  Ｃｈｅｍｉｃａｌ  Ｃｏｍｐａｎｙ社から商業上入手可能である。
【００５１】
【表２】
2010526918.tif 000003
【００５２】
Ｄｏｗ  Ｃｏｒｎｉｎｇ  ＯＳ−１０は６０パーセントより大きいヘキサメチルジシロキサン（ＨＭＤＳ）からなり、直鎖型で揮発性の完全にメチル化されたシロキサンである。
【００５３】
【表３】
2010526918.tif 000004
【００５４】
ＳＦ１２０２（ＣＡＳ登録番号：５４１−０２−６）は９０より大きいデカメチルシクロペンタシロキサンからなる。
【００５５】
【表４】
2010526918.tif 000005
【００５６】
Ｄｏｗ  Ｃｏｒｎｉｎｇ２４４液は６０パーセントより大きいオクタメチルシクロテトラシロキサンからなる。
【００５７】
【表５】
2010526918.tif 000006
【００５８】
【表６】
2010526918.tif 000007
【実施例２】
【００５９】
［実施例２：乳濁液調製］
実施例１で説明した混合物１ないし６のいずれか、又は以下の混合物７ないし９のいずれかのような多様な成分の混合物、及び選択的に水が、Ｓｃｈｏｌｄ  Ｍｉｘｅｒのようなミキサに置かれる。混合物は６００ないし３６００ｒｐｍの間の速度で２４時間混合される。乳濁液は乳白色の液体として取得される。
【００６０】
安定性の試験は、これらの方法によって取得された乳濁液が少なくとも２月の期間、安定したままであり、すなわち分離しないことを示した。
【実施例３】
【００６１】
［実施例３：混合物７］
実施例１で説明した洗浄混合物に加えて、ＵＶインクを用いるために塗布される、洗浄ローラ用に特に有用な洗浄溶液を提供する。
【００６２】
【表７】
2010526918.tif 000008
【００６３】
この調合物は広範囲のアプリケーション（枚葉給紙式、自動式、ウェブ式、ヒートセット式、及びその変形）でＵＶインクを除去する低ＶＯＣのローラ及びブランケット洗浄液であるが、経済的である。混合物７は国際癌研究機関（Ｉｎｔｅｒｎａｔｉｏｎａｌ  Ａｇｅｎｃｙ  ｆｏｒ  Ｒｅｓｅａｒｃｈ  ｏｎ  Ｃａｎｃｅｒ：ＩＡＲＣ）、国家毒性プログラム（Ｎａｔｉｏｎａｌ  Ｔｏｘｉｃｏｌｏｇｙ  Ｐｒｏｇｒａｍ：ＮＴＰ）、職業安全衛生管理局（Ｏｃｃｕｐａｔｉｏｎａｌ  Ｓａｆｅｔｙ  ＆  Ｈｅａｌｔｈ  Ａｄｍｉｎｉｓｔｒａｔｉｏｎ：ＯＳＨＡ）、又はカリフォルニア州提案６５号（Ｃａｌｉｆｏｒｎｉａ  Ｐｒｏｐｏｓｉｔｉｏｎ  ６５）によって列挙された発癌物質又は生殖毒素を含まない。
【００６４】
この調合物においては、Ｏｘｏｌ１００及びＤｏｗ  Ｃｏｒｎｉｎｇ２４４液が組合わされる。双方の液体は米国環境保護庁（Ｅｎｖｉｒｏｎｍｅｎｔａｌ  Ｐｒｏｔｅｃｔｉｏｎ  Ａｇｅｎｃｙ：ＥＰＡ）及びカリフォルニア州のＶＯＣ除外化合物である。溶媒洗浄動作が１リットルにつき１００グラム未満のＶＯＣ含量を有する生成物を用いることを要求する、２００８年１月１日施行の南海岸大気保全管理区規則１１７１を満たすように混合物は設計される。
【００６５】
ＥＢは２−ブトキシエタノールであり、グリコールエーテルとも言われる。ＥＢはＵＶインク用の溶媒として非常に有効であり、他のグリコールエーテルのいずれもが１リットルにつき８７グラムのＶＯＣのために使用されうる。
【００６６】
Ｎｏｒｆｏｘ  ＭＳＹ（メチルソイエート）は脂肪酸エステルの混合物であり、大部分は約５１．５％のリノレン酸のメチルエステルである。ＭＳＹは１リットルにつき約１２グラムのＶＯＣを調合物に与える。
【実施例４】
【００６７】
［実施例４：混合物８］  
更なる洗浄混合物は以下のように提供される。
【００６８】
【表８】
2010526918.tif 000009
【００６９】
上の成分は以下の成分が混合物に添加される前に２０ないし３０分間混合される。
【００７０】
【表９】
2010526918.tif 000010
【００７１】
この調合物は広い範囲のアプリケーション（枚葉給紙式、自動式、ウェブ式、ヒートセット式、及びその変形）でインクを有効に除去する低ＶＯＣのプレート洗浄剤であるが、経済的である。混合物８はＩＡＲＣ、ＮＴＰ、ＯＳＨＡ、又はカリフォルニア州提案６５号によって列挙された発癌物質又は生殖毒素を含まない。
【００７２】
この調合物はＯｘｏｌ１００とＤｏｗ  Ｃｏｒｎｉｎｇ２４４液とを組合わせる。双方がＵＳＥＰＡ及びカリフォルニア州のＶＯＣ除外化合物である。溶媒洗浄動作が１リットルにつき１００グラム未満のＶＯＣ含量を有する生成物を用いることを要求する、２００８年１月１日施行の南海岸大気保全管理区規則１１７１を満たすように設計される。
【００７３】
Ｍｉｎｅｒａｌ  Ｓｐｉｒｉｔｓ１４２は華氏１４０度より上の引火点を有する石油留出物に対するＡｓｈｌａｎｄ社の商標名である。Ｍｉｎｅｒａｌ  Ｓｐｉｒｉｔｓ１４２は調合物の有効性における実質的な変化なしに、実質的に任意の溶媒と重量ベースで置換できるであろう。Ｍｉｎｅｒａｌ  Ｓｐｉｒｉｔｓ１４２は水又はＤｏｗ  Ｃｏｒｎｉｎｇ２４４液と置換して有効なＶＯＣゼロのプレート洗浄剤をもたらすことができるであろう。
【００７４】
乾燥時に、Ｓｔａｒａｍｉｃ７４７及びタピオカデキストリン９５５は短期記憶中のプレート画像を保護するコーティングを形成する。このコーティングはスポンジを用いた穏やかな攪拌と組合わせて水で簡単に洗い流される。
【００７５】
トリエタノールアミン及びオレイン酸は混合物８の粘性を増加させるために結合される。
【００７６】
事前混合ステップは調合物に対する顕著で有害な効果なく省略できる。事前混合ステップ後の成分は、粘性のある安定した乳濁液を形成するためにゆっくりと添加された。添加の順番は限定するに及ばないが、成分は好ましい添加の順番に列挙される。成分はその他の順番で添加してもよい。
【実施例５】
【００７７】
［実施例４：混合物９］
更なる洗浄混合物は以下のように提供される。
【００７８】
【表１０】
2010526918.tif 000011
【００７９】
ＥＰＳ−６１１３は少なくとも１の塩基性成分を含む混合物であり、以下の成分を含む。
【００８０】
【表１１】
2010526918.tif 000012
【００８１】
この調合物は広い範囲のアプリケーション（枚葉給紙式、自動式、ウェブ式、ヒートセット式、及びその変形）でインクを有効に除去する低ＶＯＣのプレート洗浄剤であるが、経済的である。混合物９はＩＡＲＣ、ＮＴＰ、ＯＳＨＡ、又はカリフォルニア州提案６５号によって列挙された発癌物質又は生殖毒素を含まない。
【００８２】
この調合物の本質はＯｘｏｌ１００とＤｏｗ  Ｃｏｒｎｉｎｇ２４４液との組合せである。双方がＵＳＥＰＡ及びカリフォルニア州のＶＯＣ除外化合物である。溶媒洗浄動作が１リットルにつき１００グラム未満のＶＯＣ含量を有する生成物を用いることを要求する、２００８年１月１日施行の南海岸大気保全管理区規則１１７１を満たすように設計される。
【００８３】
ＳＴＰＰは式Ｎａ５Ｐ３Ｏ１０を有するトリポリリン酸ナトリウム（又は三リン酸ナトリウム）である。ＳＴＰＰは海産食品、肉、家禽類及びペット用フードのための保存料として多様なアプリケーションで用いられる。ＳＴＰＰは練り歯磨きで、及び、石けん及び洗浄剤の製作者が洗浄能力を改善する場合に更に用いられる。米国食品医薬品局はＳＴＰＰを塩類、酢、及びベーキングパウダと共に「一般的に安全と見なされる（ｇｅｎｅｒａｌｌｙ  ｒｅｃｏｇｎｉｚｅｄ  ａｓ  ｓａｆｅ）」と列挙している。
【００８４】
Ｎｏｒｆｏｘ（登録商標）４０はＮｏｒｍａｎ，Ｆｏｘ＆Ｃｏ．社によって販売される混合物であり、約４０％のドデシルベンゼンスルホン酸ナトリウムを含む。
【００８５】
Ｔｒｉｔｏｎ（登録商標）ＢＧ−１０は約７０％の低重合体のＤ−グルコピラノースを含む混合物である。
【００８６】
ＥＰＳ−６１１３は混合物９に対し洗浄剤と擦り傷除去機能とを提供する。活性成分のドデシルベンゼンスルホン酸ナトリウムは、４０パーセントのＮｏｒｆｏｘ４０を構成する。２００３年２月１３日付のＭＳＤＳ＃２２６５でＤｏｗ  ｃｈｅｍｉｃａｌ  ｃｏｍｐａｎｙ社によって示されたようなＴｒｉｔｏｎ（登録商標）ＢＧ−１０の界面活性物質は、４０のＣ．Ｆ．Ｒ．の部の３０２．４及び３７２のセクション１０３、３０２、３１３下で、報告義務のある成分を含まない。更に、ＭＳＤＳ＃２２６５は「この製品は法令下で警告を必要とする濃度で、癌、先天異常、又は他の生殖性の害を生じさせる、カリフォルニア州で既知の列挙された物質に含まれない」と述べている。メタケイ酸ナトリウムのペンタ水和物は印刷プレートから擦り傷を除去する。
【国際調査報告】
2010526918.tif 000013
2010526918.tif 000014